(57)【要約】【課題】  全体の小型化、薄型化、更には軽量化を図る。【解決手段】  操作面１３ａを構成する上ケース１１と底面１２ｂを構成する下ケース１２とを突き合わせて構成される装置本体１３を有し、装置本体１３内には、上ケース１１の内側に配設されるシールド板３１と、シールド板３１の下側にシールド板３１を介して上ケース１１の操作面１３ａに設けられた開口部を介して外部にボタン部５３が臨まされるボタン機構３２と、ボタン機構３２の下側に配設されるプリント配線基板３３とが配設され、第１のプリント配線基板３３をフレーム等を用いることなく下ケース１２に直接取り付けるようにすると共に、不要輻射や静電対策のためのシールド板３１やアース板３５を設けることで、上ケース１１や下ケース１２の内面にメッキを施さないようにし、部品の再利用を図ることができるようにした。【選択図】  図４
2005203450.tif 000002
【特許請求の範囲】
【請求項１】
操作面を構成する上ケースと底面を構成する下ケースとを突き合わせて構成される装置本体を有し、
上記装置本体内には、上記上ケースの内側に配設されるシールド板と、上記シールド板の下側に上記シールド板を介して上記上ケースの操作面に設けられた開口部より外部にボタン部が臨まされるボタン機構と、上記ボタン機構の下側に配設されるプリント配線基板とが配設されている遠隔操作装置。
【請求項２】
上記下ケースには、側面部にアース板が取り付けられている請求項１記載の遠隔操作装置。
【請求項３】
上記操作面には、長手方向の一方の側にジョイスティックで構成された第１の操作部が設けられ、この第１の操作部に隣り合う中央部に使用頻度の高い第２の操作部が設けられ、第２の操作部に隣り合う長手方向の他方の側に第２の操作部より使用頻度の低い第３の操作部が設けられている請求項２記載の遠隔操作装置。
【請求項４】
第２の操作部と上記第３の操作部との境界には、段差部が設けられている請求項３記載の遠隔操作装置。
【請求項５】
上記第１の操作部のジョイスティックの周囲には、膨出部が設けられている請求項３記載の遠隔操作装置。
【請求項６】
上記第２の操作部は、複数の押しボタンで構成されており、
上記第３の操作部は、上記第２の操作部より低く形成されており、上記第２の操作部の操作面より突出する操作子を有している請求項５記載の遠隔操作装置。
【請求項７】
上記ジョイスティックは、上記アース板にアース接続されている請求項３記載の遠隔操作装置。
【請求項８】
上記操作面は、傾斜面で構成されており、上記ジョイスティックは、傾斜した操作面に対して基本姿勢が略垂直となるように設けられている請求項３記載の遠隔操作装置。
【請求項９】
上記下ケースの内面には、上記ジョイスティックを取り付ける取付部が設けられており、この取付部の取付基準面は、上記傾斜した操作面と略平行となるように傾いて設けられている請求項８記載の遠隔操作装置。
【請求項１０】
上記ボタン機構は、ランナー部に弾性片を介してボタン部が所定の間隙を介して設けられており、上記ランナー部に、位置決め孔が設けられたボタン部材を少なくとも２以上有し、
各ボタン部には、上記ボタン部材に隣接して配設されプリント配線基板に実装されたスイッチ素子を押圧する押圧子が設けられており、
一方のボタン部材の上記所定の間隙に他方のボタン部材のボタン部が位置するように重ね合わせ、一致した上記一方のボタン部材の位置決め孔と他方のボタン部材の位置決め孔に、上記上ケース内面に設けられた位置決め突起を係合させ、上記ボタン部を外部に臨ませてなる請求項１記載の遠隔操作装置。
【請求項１１】
上記位置決め突起は、上記シールド板の位置決めを行う請求項１０記載の遠隔操作装置。
【発明の詳細な説明】
【技術分野】
【０００１】
本発明は、監視カメラ等の電子機器を遠隔操作する遠隔操作装置に関する。
【背景技術】
【０００２】
遠隔操作装置をはじめとする様々な電気機器は、通常、上ケースと下ケースとで筐体を構成し、内部に、プリント配線基板をフレーム等に取り付けて配設し、更に、不要輻射や静電対策のため、シールド板を配設している。しかしながら、このような構成は、部品取付のためのフレームを必要とし、小型化、薄型化、更には軽量化を図ることが難しい。
【０００３】
また、電気機器では、小型化、薄型化、更には軽量化を図るために、シールド板の代わりに、上ケースや下ケースに不要輻射や静電対策のためメッキを施すことがある。しかしながら、上ケースや下ケースにメッキを施すと、上ケースや下ケースの再利用が難しくなる。
【発明の開示】
【発明が解決しようとする課題】
【０００４】
本発明は、以上のような問題点に鑑みてなされたものであり、その目的は、全体の小型化、薄型化、更には軽量化を図ると共に構成部品の再利用を容易に行うことができる遠隔操作装置を提供することにある。
【課題を解決するための手段】
【０００５】
本発明に係る遠隔操作装置は、操作面を構成する上ケースと底面を構成する下ケースとを突き合わせて構成される装置本体を有する。装置本体内には、上ケースの内側に配設されるシールド板と、シールド板の下側にシールド板を介して上ケースの操作面に設けられた開口部より外部にボタン部が臨まされるボタン機構と、ボタン機構の下側に配設されるプリント配線基板とが配設されている。
【発明の効果】
【０００６】
本発明によれば、プリント配線基板をフレーム等を用いることなく下ケースに直接取り付けるようにすることで、不要輻射や静電対策のためのシールド板を設けることで、全体の小型化、薄型化、更には軽量化を図ることができると共に、上ケースや下ケースの内面にメッキを施さないようにし、構成部品の再利用を容易に行うことができる。
【発明を実施するための最良の形態】
【０００７】
以下、本発明を適用した遠隔操作装置について図面を参照して説明する。
【０００８】
図１に示すように、本発明を適用した遠隔操作装置１０は、複数の監視カメラ１ａ，１ｂ，１ｃを遠隔操作する装置であり、これら監視カメラ１ａ，１ｂ，１ｃ（以下、まとめて監視カメラ１ともいう。）と有線又は無線で接続されている。
【０００９】
図２及び図３に示すように、この遠隔操作装置１０は、上ケース１１と下ケース１２とを突き合わせ結合することによって装置本体１３を構成している。この装置本体１３は、操作面１３ａが机等の設置面１４に対して操作者の方に向かって下向きに傾斜するように形成され、右利きのユーザ用となっている。
【００１０】
この操作面１３ａの構成について図２を参照して説明すると、この操作面１３ａは、略矩形をなし、長手方向の一方の側に、右手で操作できるように、第１の操作部１５が設けられ、第１の操作部１５に隣接した中央部に第２の操作部１６が設けられ、第２の操作部１６に隣接した長手方向の他方の側に第３の操作部１７が設けられている。第１の操作部１５側は、略円弧をなすように形成されている。
【００１１】
第１の操作部１５は、主として、複数の監視カメラ１ａ，１ｂ，１ｃの中で選択された監視カメラをパン方向やチルト方向に回転させる操作部であり、監視カメラ１のパン方向とチルト方向の回転制御を容易に行うことができるようにジョイスティック１８で構成されている。
【００１２】
このジョイスティック１８は、何も操作が行われていない基本姿勢がユーザが操作を行いやすくするため、設置面１４に対して傾斜している操作面１３ａに対して略垂直になるように設けられている。また、このジョイスティック１８の周囲は、ジョイスティック１８の操作時において、手の側部を置くことができるように略円形の膨出部１９が設けられている。この膨出部１９は、ユーザが右手でジョイスティック１８を外側から把持するように置くので、ジョイスティック１８の一方の側、すなわち操作面１３ａの一方の略円弧の側縁側が広くなるように形成されている。
【００１３】
操作面１３ａの略中央に設けられる第２の操作部１６は、複数の押しボタンで構成されており、第１のボタン群２１と、第２のボタン群２２と、第３のボタン群２３と、第４のボタン群２４とで構成されている。第１のボタン群２１は、表示装置に表示される画質等監視カメラ１の機能設定を主として行うボタン群であり、第２のボタン群２２は、主としてメモリに登録された監視カメラ１の複数のポジション、すなわち撮影場所を選択するためのボタン群であり、第３のボタン群２３は、主として、制御する複数の監視カメラ１を選択するためのボタン群であり、第４のボタン群２４は、主として、複数の監視カメラ１のオンオフやボタンの機能を選択するためのボタン群である。第１乃至第４のボタン群２１〜２４の内、第２のボタン群２２と第３のボタン群２３は、使用頻度の特に高いボタンであり、操作性を良くするため、第１のボタン群２１や第４のボタン群２４より大きく形成され、更に、中央部に設けられている。第２の操作部１６を構成する第１乃至第４のボタン群２１〜２４は、操作面１３ａの小型化を図るため、互いに隣接するボタンと従来より近接して設けられている。また、第２及び第３のボタン群２２，２３は、オン又はオフのとき点灯し、視覚的にユーザにオンオフを識別しやすくしている。
【００１４】
第３の操作部１７は、複数の回転スイッチ２５や複数の押しボタン２６で構成されている。回転スイッチ２５は、例えば監視カメラ１のパン方向やチルト方向の微調整を主として行うものであり、押しボタン２６は、監視カメラ１のパン方向やチルト方向の微調整機能のオンオフの切り換え等を行うものである。また、複数の押しボタン２６も、互いに隣接するボタンと従来より近接して設けられている。
【００１５】
第２の操作部２２と第３の操作部２３とを比較すると、第２の操作部１６は、監視カメラ１の基本制御を行うための操作部であるから、第３の操作部１７より使用頻度が高い。操作面１３ａは、第２の操作部１６と第３の操作部１７とを目視するまでもなく触感でユーザが識別することができるように、第２の操作部１６と第３の操作部１７との間に段差部２７を設けている。
【００１６】
段差部２７は、触感で第２の操作部１６と第２の操作部１７とを識別することができるようにするためだけであれば、第２の操作部１６が第３の操作部１７より高くなるなるように構成しても良いが、ここでは、右利きのユーザが左手で第３の操作部１７を操作しやすくするため、第３の操作部１７が第２の操作部１６より低くなるように構成している。また、操作面１３ａの他方の側の第３の操作部１７では、操作子２５ａが操作面１３ａの第２の操作部１７より突出した回転スイッチ２５を用いるようにしている。そして、操作面１３ａは、一方の側に膨出部１９を設けると共に第１の操作部１５のジョイスティック１８を設け、他方の側に第３の操作部１７を構成する回転スイッチ２５の回転操作をするための操作子２５ａを設け、操作面１３ａの長手方向の両側に突出する部材を設けるようにし、両側のバランスを良くし、見栄えを良くしている。
【００１７】
ところで、装置本体１３は、図４に示すように、上ケース１１と下ケース１２との間に、上ケース１１側からシールド板３１、ボタン機構３２、第１のプリント配線基板３３が重なり合うようにして収納される。また、上ケース１１と下ケース１２との間には、下ケース１２の背面に配設される第２のプリント配線基板３４と、アース板３５とが配設される。すなわち、この装置本体１３では、第１のプリント配線基板３３が下ケース１２に直接取り付けられ、従来のように第１のプリント配線基板３３をフレームを介して下ケース１２に取り付けるようにはせず、これにより、部品点数の削減を図ると共に、小型化、薄型化更には軽量化を図っている。また、この装置本体１３は、不要輻射や静電対策のためのシールド板３１やアース板３５を設けることで、上ケース１１や下ケース１２の内面にメッキを施さないようにし、部品の再利用を図ることができるようにしている。
【００１８】
上ケース１１は、その主面が操作面１３ａとなり、第１の操作部１５を構成するジョイスティック１８を外部に臨ませるための第１の開口部１５ａが設けられ、また、第２の操作部１６を構成する複数の押しボタンを外部を臨ませるための第２の開口部１６ａが設けられ、更に、第３の操作部１７を構成する回転スイッチ２５の操作子２５ａや押しボタン２６を外部に臨ませるための第３の開口部１７ａが設けられている。更に、上ケース１１には、その主面に上述の膨出部１９が第１の開口部１５ａの周囲に設けられていると共に、第２の操作部１６と第３の操作部１７との間に段差部２７が設けられている。
【００１９】
この上ケース１１の内面には、不要輻射や静電対策のためのシールド板３１が設けられている。このシールド板３１は、アルミニウム等の導電性の金属板で形成され、第１のプリント配線基板３３のほぼ全体を覆う大きさに形成されている。このシールド板３１にも、上ケース１１に形成された第２及び第３の開口部１６ａ，１７ａに対応して開口部１６ｂ，１７ｂが形成されている。更に、このシールド板３１には、接続片３１ａが形成されている。接続片３１ａは、ねじ穴が形成されており、第１のプリント配線基板３３のグランドパターン３３ａにねじで接続される。このシールド板３１は、上ケース１１の内面に形成された位置決め突起５２ｂによって位置決めされて上ケース１１の内面に取り付けられる。
【００２０】
このシールド板３１の下側には、詳細は後述するボタン機構３２が配設され、更に、ボタン機構３２の下側に第１のプリント配線基板３３が設けられている。第１のプリント配線基板３３には、第２及び第３の操作部１６，１７を構成する押しボタンにより押圧されるスイッチ素子であるタクトスイッチ３６が実装されていると共に、第２の操作部１６を構成する第２及び第３のボタン群２２，２３を点灯させるためのＬＥＤ（Light Emitting Diode）等の発光素子３７が実装されている。更に、第１のプリント配線基板３３には、第３の操作部１７を構成する回転スイッチ２５が実装されている。また、第１のプリント配線基板３３には、一方の主面に、シールド板３１の接続片３１ａが当接されるグランドパターン３３ａが形成され、他方の面に、アース板３５のアース片３５ｂが当接されるグランドパターン３３ｂが形成されている。
【００２１】
第２のプリント配線基板３４は、下ケース１２の背面壁１２ａに対して略垂直になるように取り付けられる。この第２のプリント配線基板３４は、監視カメラ１等から導出された接続コードや電源コードが電気的に接続される複数のコネクタ３８や電源スイッチ３９が実装される。例えば、第２のプリント配線基板３４には、ＲＳ２３２Ｃ（Recommended Standard 232 version C）、ＲＳ４２２（Recommended Standard 422）、ＶＩＳＣＡ（VIdeo System Control Architecture）等のコネクタ３８が実装されている。これらのコネクタ３８は、下ケース１２の背面壁１２ａに形成された開口部１２ｃより外部に臨まされる。また、第２のプリント配線基板３４には、アース板３５の接続片３５ａが当接されるグランドパターン３４ａが設けられている。なお、第１のプリント配線基板３３と第２のプリント配線基板３４とは、図示しないがフレキシブルプリント配線基板によって電気的に接続されている。
【００２２】
アース板３５は、断面略Ｌ字状をなし、下ケース１２の背面壁１２ａと第２のプリント配線基板３４とを覆うことができるように形成されている。このアース板３５は、アース板としての機能の他、上述のシールド板３１と同様の機能も有するため、導電性を有する例えばアルミニウム等で形成されている。このアース板３５には、第２のプリント配線基板３４のグランドパターン３４ａに接続するための接続片３５ａが形成されている他、アースをとるためのアース片３５ｂが設けられている。また、このアース板３５には、ジョイスティック１８のアース片１８ｃが接続される。また、アース板３５には、第２のプリント配線基板３４に実装されたコネクタ３８や電源スイッチ３９を下ケース１２の開口部１２ｃより外部に臨ませるための開口部３５ｃが形成されている。
【００２３】
なお、第２のプリント配線基板３４とアース板３５は、図４に示すように、位置決め溝４０ａ，４０ｂが形成されており、位置決め溝４０ａ，４０ｂは、下ケース１２の底面１２ｂに形成された位置決め片４０ｃに係合され、これにより、第２のプリント配線基板３４とアース板３５は、下ケース１２の底面１２ｂに位置決めされた状態で取り付けられる。
【００２４】
第１の操作部１５を構成するジョイスティック１８は、図４に示すように、基台部１８ａにユーザが把持する操作レバー１８ｂが設けられている。この基台部１８ａ内には、図示しないが信号発生回路等が設けられたプリント配線基板が配設されており、この基台部１８ａからは、このプリント配線基板に電気的に接続されたアース片１８ｃが導出されている。このアース片１８ｃは、アース板３５にねじ等で電気的に接続される。
【００２５】
このジョイスティック１８は、図４及び図５に示すように、下ケース１２の底面に設けられた取付基台４１が設けられている。この取付基台４１は、図５に示すように、その頂面４１ａがジョイスティック１８の取付基準面となる。頂面４１ａには、取付孔４１ｂが形成されている。頂面４１ａには、取付孔４１ａとジョイスティック１８の基台部１８ａのコーナ部に形成された挿通孔１８ｄとの軸線を一致させてジョイスティック１８の基台部１８ａが取り付けられる。
【００２６】
ところで、図３に示すように、装置本体１３は、下ケース１２の底面１２ｂが設置面１４と略平行となるように形成され、上ケース１１の操作面１３ａが傾斜面で形成され、ジョイスティック１８は、この傾斜した操作面１３ａに対して略垂直となるように設けられる。ジョイスティック１８が操作面１３ａに対して略垂直になるように下ケース１２に取り付けるため、図５に示すように、ジョイスティック１８を取り付けるための取付基準面となる下ケース１２に設けられた取付基台４１の頂面４１ａは、下ケース１２の底面に対して傾き、上ケース１１の操作面１３ａと平行となるように形成されている。
【００２７】
この下ケース１２は、底面１２ｂとこの底面１２ｂに対して垂直の背面壁１２ａと底面１２ｂに形成されたジョイスティック１８を取り付けるための取付基台４１とを有している。この下ケース１２は、上ケース１１と共に合成樹脂を射出成形することにより成形されるものであるが、射出成型時の基準を底面１２ｂではなく底面１２ｂに対して傾斜した頂面４１ａとしている。ジョイスティック１８を取り付けるための取付基台４１が底面１２ｂに対して斜めであり、下ケース１２の底面１２ｂを基準にしたとき、取付基台４１を成形するための金型を底面１２ｂを形成する金型に対して斜めに抜く必要が生じる。しかしながら、取付基台４１は、底面１２ｂから突出した背の高い部分であり、取付基台４１を成形するための金型を抜くことが困難となる。そこで、下ケース１２は、下ケース１２の底面に立設された取付基台４１の頂面４１ａを基準として成形される。なお、下ケース１２では、上ケース１１と結合するためのボス４１ｃが複数設けられているが、これらのボス４１ｃも、取付基台４１と略同じ高さであり、底面１２ｂに対して斜めに形成され、その頂面も、取付基台４１の頂面４１ａと同様に射出成型時の基準面となる。
【００２８】
ところで、第１のプリント配線基板３３と上ケース１１の内側に配設されるシールド板３１との間には、図４及び図６に示すように、第２及び第３の操作部１６，１７を構成するボタン機構３２が設けられている。
【００２９】
このボタン機構３２は、上述のように、図２に示すように、第１のボタン群２１、第２のボタン群２２、第３のボタン群２３、第４のボタン群２４のそれぞれが図７及び図８に示すボタン部材５１ａ，５１ｂを一対有している。一対のボタン部材５１ａ，５１ｂ（以下、まとめてボタン部材５１ともいう。）は、略同じ構成を有しており、重ね合わせるようにして上ケース１１の内側に配設される。なお、以下、第２の操作部１６の第３のボタン群２３を例に取り説明する。
【００３０】
ボタン部材５１は、図７及び図８に示すように、ランナー部５２にユーザによって操作されるボタン部５３が弾性片５４を介して所定の間隙５５を介して設けられている。ランナー部５２には、所定間隔を介して複数の位置決め孔５２ａが形成されている。位置決め孔５２ａは、図６に示すように、上ケース１１の内面の所定位置に形成された位置決め突起５２ｂが係合され、ボタン部材５１の位置決めすると共に回転を防止する。なお、位置決め突起５２ｂは、シールド板３１の位置決め孔５２ｃにも係合される。位置決め突起５２ｂは、シールド板３１とボタン部材５１の位置決めに用いられることで上ケース１１の構成の簡素化を図るようにしている。
【００３１】
このランナー部５２には、一対の弾性片５４が設けられており、ボタン部５３は、両側が一対の弾性片５４によって支持されている。ボタン部５３は、略矩形をなし、一方の面がユーザによって押圧される被押圧面となり、他方の面には、第１のプリント配線基板３３に実装されたタクトスイッチ３６を押圧するための押圧子５３ａが設けられている。また、ボタン部５３の他方の面には、各コーナ部にボタン部５３の押し込み量を規制する規制突起５３ｂが形成されている。規制突起５３ｂは、図９に示すように、ボタン部５３がユーザによって押されると、第１のプリント配線基板３３に突き当たることによって、ボタン部５３の押し込み量を規制する。
【００３２】
ボタン部５３には、弾性片５４とは反対側に、更なる弾性片５６が設けられている。ボタン部５３を介して両側に設けられる弾性片５４，５６には、それぞれ支点部５４ａ，５６ａが突出して設けられ、第１のプリント配線基板３３に突き当てられる。すなわち、弾性片５４には、図９に示すように、ランナー部５２側に支点部５４ａが設けられ、弾性片５６には、先端側に支点部５６ｂが設けられている。ボタン部５３は、支点部５４ａ，５６ａに挟まれるように位置し、ユーザによって押圧されると、支点部５４ａ，５６ａを支点として弾性片５４，５６が弾性変位し、タクトスイッチ３６を押圧子５３ａで押圧することになる。なお、弾性片５４，５６の数は、これに限定されるものではない。
【００３３】
ボタン部５３の周囲には、フランジ部５３ｃが形成されている。フランジ部５３ｃは、ボタン部５３ｃが上ケース１１の開口部１６ａから抜けることを防止する規制部である。シールド板３１の開口部１６ｂは、フランジ部５３ｃより大きく形成され、フランジ部５３ｃは、上ケース１１の開口部１６ａの周囲に突き当たる。フランジ部５３ｃは、シールド板３１の開口部１６ｂの周囲に突き当たるのではなく、上ケース１１の開口部１６ａに突き当たることで、装置本体１３の薄型化を図っている。
【００３４】
以上のようなボタン部材５１では、ボタン部５３とボタン部５３の間隙５５がボタン部５３の幅と略同じとなっており、他のボタン部材５１が重ね合わされたとき、他のボタン部材５１のボタン部５３が間隙５５に位置する。ボタン機構３２では、一のボタン部材５１のボタン部５３間に設けられた間隙５５に他のボタン部材５１のボタン部５３が位置するように２つのボタン部材５１を重ね合わせることで、ボタン部５３を近接させて配置することができる。
【００３５】
図１０に示すように、ボタン部５３の押圧子５３ａによって押圧されるタクトスイッチ３６が実装された第１のプリント配線基板３３は、図９に示すように、各ボタン部５３に対応して押圧子５３ａに押圧されるタクトスイッチ３６に近接して発光素子３７が実装されている。発光素子３７は、例えばタクトスイッチ３６が押圧されたとき点灯し再度押圧されたとき消灯する。ボタン部材５１は、発光素子３７からの光をボタン部５３の被操作面まで導光するため光透過性の材料で形成されている。
【００３６】
以上のようなボタン機構３２は、図６及び図９に示すように、シールド板３１の位置決め孔５２ｃに係合された上ケース１１の内面に形成された位置決め突起５２ｂには、重ね合わされたボタン部材５１の位置決め孔５２ａ，５２ａが係合される。すなわち、位置決め突起５２ｂは、シールド板３１の位置決めに用いられる他に、２つのボタン部材５１の位置決めに用いられる。２つのボタン部材５１が位置決め突起５２ｂによって重ね合わされた状態で位置決めされると、図１１に示すように、一方のボタン部材５１ａの間隙５５には、他方のボタン部材５１ｂのボタン部５３が位置されることになる。そして、ボタン部５３の押圧子５３ａは、第１のプリント配線基板３３のタクトスイッチ３６に対峙する。このとき、ボタン部５３のフランジ部５３ｃは、シールド板３１の開口部１６ｂの周囲ではなく上ケース１１の開口部１６ａの周囲に突き当たり、開口部１６ａより抜け落ちることを防止している。
【００３７】
上ケース１１と下ケース１２とが組み合わされ、上ケース１１の開口部１６ａより外部に臨まされたボタン部５３をユーザが押圧すると、ボタン部５３は、弾性片５４，５６が弾性変位することによって、支点部５４ａ，５６ａを支点に内部に、規制突起５３ｂが第１のプリント配線基板３３に突き当たるまで押し込まれる。これによって、ボタン部５３の押圧子５３ａは、第１のプリント配線基板３３のタクトスイッチ３６を押圧し、スイッチのオンオフが切り換えられることになる。スイッチがオンになったときには、発光素子３７は発光し、光透過性のボタン部５３は、点灯する。
【００３８】
以上のようなボタン機構３２では、互いに隣接するボタン部５３を、異なるボタン部材５１で設けるようにしたので、ボタン部５３の間隔を、従来は１ｍｍ程度あったものを０．３ｍｍ程度まで近接させることができる。したがって、装置本体１３の小型化を図ることができる。また、ボタン部材５１は、ランナー部５２を重ね合わせるようにして上ケース１１の内側に配設することができ、装置本体１３の薄型化を図ることができる。
【００３９】
なお、以上の例では、第２の操作部１６の第３のボタン群２３を例に取り説明したが、装置本体１３では、第２の操作部１６の第２のボタン群２２も同様に構成されている。また、第１及び第４のボタン群２１，２４並びに第３の操作部１７の複数の押しボタン２６も、第１のプリント配線基板３３に発光素子３７が設けられていないのを除き同様に構成されている。
【００４０】
以上のような装置本体１３を組み立てるには、図４、図６及び図９に示すように、上ケース１１の内面に形成された位置決め突起５２ｂにシールド板３１の位置決め孔５２ｃが係合されることによって、先ず、上ケース１１の内面には、シールド板３１が配設される。シールド板３１の位置決め孔５２ｃに係合された上ケース１１の内面に形成された位置決め突起５２ｂには、重ね合わされたボタン部材５１の位置決め孔５２ａ，５２ａが係合され、図１１に示すように、一方のボタン部材５１ａの間隙５５に、他方のボタン部材５１ｂのボタン部５３が位置される。そして、ボタン部５３は、シールド板３１の開口部１６，１７ｂを介して上ケース１１の開口部１６ａ，１７ａより外部に臨まされる。
【００４１】
一方、上ケース１１にシールド板３１を介して取り付けられたボタン機構３２と下ケース１２との間には、第１のプリント配線基板３３が配設される。そして、シールド板３１の接続片３１ａは、第１のプリント配線基板３３のグランドパターン３３ａにねじで接続される。
【００４２】
また、下ケース１２には、背面壁１２ａと底面１２ｂに沿うようにアース板３５が取り付けられると共に、アース片１８ｃを介してアース板３５に取り付けられたジョイスティック１８が下ケース１２の取付基台４１に取り付けられる。ジョイスティック１８は、下ケース１２の取付基台４１に取り付けられることで、操作時の負荷を下ケース１２で受けることになり、安定した状態で取り付けられる。更に、アース板３５上には、コネクタ３８、電源スイッチ３９等の電子部品が実装された第２のプリント配線基板３４が取り付けられる。第２プリント配線基板３４のグランドパターン３４ａには、アース板３５の接続片３５ａが接続される。また、アース板３５のアース片３５ｂは、第１のプリント配線基板３３のグランドパターン３３ｂに接続される。この後、上ケース１１と下ケース１２とは、ボス４１ｃを介してねじ等で結合される。この装置本体１３は、内部の部品が全てアース板３５に接続されることで、確実にアースを取ることができる。
【００４３】
以上のような遠隔操作装置１０では、装置本体１３を、第１のプリント配線基板３３をフレーム等を用いることなく下ケース１２に直接取り付けるようにしたので、部品点数の削減を図ると共に、小型化、薄型化更には軽量化を図ることができる。また、また、この装置本体１３は、不要輻射や静電対策のためのシールド板３１やアース板３５を設けることで、上ケース１１や下ケース１２の内面にメッキを施さないようにし、部品の再利用を図ることができる。また、第２の操作部１６や第３の操作部１７を構成する押しボタンは、パーソナルコンピュータのキーボードのように、プリント配線基板に実装されたキーボードスイッチに操作部を取り付けるようにしたのではなく、上ケース１１の内面に取り付けられたボタン機構３２のボタン部材５１によって第１のプリント配線基板３３に実装されたタクトスイッチ３６を押圧するようにしたので、装置本体１３の薄型化を実現することができる。
【００４４】
また、ボタン機構３２は、一のボタン部材５１のボタン部５３間に設けられた間隙５５に他のボタン部材５１のボタン部５３が位置するように２つのボタン部材５１を重ね合わせることで、ボタン部５３を近接させて配置することができる。
【００４５】
更に、遠隔操作装置１０の操作面１３ａは、右利きのユーザに合わせて、一方の側にジョイスティック１８でなる第１の操作部１５を設け、中央部に使用頻度の高い第２の操作部１６を設け、他方の側に第３の操作部１７を設けるようにしたので、操作性の向上を図ることができる。また、遠隔操作装置１０は、第２の操作部１６と第３の操作部１７との間に段差部２７を設けたので、目視することなく、第２の操作部１６と第３の操作部１７との位置を確認することができる。更に、遠隔操作装置１０は、第２の操作部１６を第３の操作部１７より一段低く形成していることから、右利きのユーザが左手で第３の操作部１７を操作しやすくなる。更に、遠隔操作装置１０は、操作面１３ａの一方の側に第１の操作部１５としてジョイスティック１８を設け、他方の側に第３の操作部１７として回転スイッチ２５を設けるようにしたことで、長手方向のバランスを良くし、見栄えを良くすることができる。
【００４６】
なお、以上の例では、右利き用の遠隔操作装置を説明したが、本発明は、左利き用であってもよい。左利き用の場合、第１の操作部１５と第２の操作部１６との位置を逆にして設ければよい。また、以上の例では、監視カメラ１の遠隔操作装置を説明したが、操作する装置は、監視カメラに限定されるものではなく、他の電気機器の遠隔操作装置に適用することもできる。
【図面の簡単な説明】
【００４７】
【図１】本発明を適用した遠隔操作装置の機能を説明する図である。
【図２】上記遠隔操作装置の斜視図である。
【図３】上記遠隔操作装置の側面図である。
【図４】上記遠隔操作装置の分解斜視図である。
【図５】下ケースの断面図である。
【図６】ボタン機構の分解斜視図である。
【図７】上記ボタン機構を構成するボタン部材を上側から見た斜視図である。
【図８】上記ボタン部材を下側から見た斜視図である。
【図９】上記ボタン機構の断面図である。
【図１０】第１のプリント配線基板の要部斜視図である。
【図１１】ボタン機構が上ケースの内面に配設された状態を示す平面図である。
【符号の説明】
【００４８】
１０  遠隔操作装置、１１  上ケース、１２  下ケース、１３  装置本体、１３ａ  操作面、１５  第１の操作部、１６  第２の操作部、１７  第３の操作部、１８  ジョイスティック、１９  段差部、２５  回転スイッチ、３１  シールド板、３２  ボタン機構３２、３３  第１のプリント配線基板、３４  第２のプリント配線基板、３５  アース板、３６  タクトスイッチ、３７  ＬＥＤ、４１  取付基台、５１  ボタン部材、５２  ランナー部、５３  ボタン部、５４  弾性片、５４ａ  支点部、５５間隙、５６  弾性片、５６ａ  支点部
【図１】
2005203450.tif 000003
【図２】
2005203450.tif 000004
【図３】
2005203450.tif 000005
【図４】
2005203450.tif 000006
【図５】
2005203450.tif 000007
【図６】
2005203450.tif 000008
【図７】
2005203450.tif 000009
【図８】
2005203450.tif 000010
【図９】
2005203450.tif 000011
【図１０】
2005203450.tif 000012
【図１１】
2005203450.tif 000013